(57)【要約】【課題】シール部材の筒部内に操作軸の先端側を挿入する際の作業性が良好なスイッチ操作装置を提供する。【解決手段】回路基板（取付部材）１上に固定され可動部４を有するスイッチ３と、可動部４を押圧する操作軸１４と、スイッチ３の前方側に配置され開口穴７を有する透視板（前面板）６と、操作軸１４の先端側が挿入される筒部９を有するとともに開口穴７を塞ぐシール部材８とを備え、操作軸１４を筒部９に挿入する際に、筒部９内の空気を筒部９外に抜けさせる通気路Ｓを設ける。【選択図】  図１
2004152510.tif 000002
【特許請求の範囲】
【請求項１】
取付部材に固定され可動部を有するスイッチと、前記可動部を押圧する操作軸と、前記スイッチの前方側に配置され開口穴を有する前面板と、前記操作軸の先端側が挿入される筒部を有するとともに前記開口穴を塞ぐシール部材とを備え、前記操作軸を前記筒部に挿入する際に、前記筒部内の空気を筒部外に抜けさせる通気路を設けたことを特徴とするスイッチ操作装置。
【請求項２】
前記通気路が前記操作軸の軸心方向に沿って前記操作軸に設けた溝からなることを特徴とする請求項１に記載のスイッチ操作装置。
【請求項３】
前記通気路が前記操作軸の軸心方向に沿って前記操作軸に設けた貫通孔からなることを特徴とする請求項１に記載のスイッチ操作装置。
【発明の詳細な説明】
【０００１】
【発明の属する技術分野】
本発明は、例えば自動二輪車用計器に用いられる表示切換用などのスイッチを前面板の外部から押圧操作するスイッチ操作装置に関するものである。
【０００２】
【従来の技術】
特に自動二輪車あるいは農業機械，建設機械用の計器類に用いられ、外部からスイッチを押圧操作可能に構成したスイッチ操作装置は、押圧操作部から水や埃が内部に入ってスイッチの操作や作動に悪影響を及ぼすのを防ぐようになっており、例えば特許文献１に記載されているように、前面板１の挿通孔８に押釦体１０の上部を覆うゴムパッキン１１を被嵌させ、スイッチ４の押圧部３を押圧操作する押釦体１０にはバネ部１２や抜け止め部１３などを一体に設け、この押釦体１０を取付板５を用いて前面板１の裏面側に固定している。なお、上述した符号は特許文献１で用いられている符号である。
【０００３】
しかし、特許文献１記載の押釦スイッチ装置においては、押釦体１０を取付板５を用いて前面板１の裏面側に固定しなければならず、取付板５が必要であり、組み付け作業も煩雑であった。
【０００４】
そこで、図４に示す従来例のように、プリント基板１０１に可動部１０２を有する押釦スイッチ１０３を半田付固定し、この押釦スイッチ１０３と対向する前面板１０４箇所に開口穴１０５を設けて、この開口穴１０５の前方側に突出する突出部１０６を有するゴムパッキン１０７を開口穴１０５周囲の前面板１０４箇所にはめ込んで固着する。突出部１０６は円筒となっており、この突出部１０６内に押釦スイッチ１０３の可動部１０２を押圧する操作軸１０８の先端側を挿入してある。突出部１０６内で操作軸１０８が動いたりしない様に操作軸１０８の周囲と突出部１０６の内壁周囲とはぴったり合った状態となっている。１０９は突出部１０６の内壁周囲に設けた環状突起であり、操作軸１０８を突出部１０６内に挿入した際、操作軸１０８の周囲に設けた環状凹部１１０に嵌り込んで、操作軸１０８が突出部１０６から容易に抜けないようにしてある。
【０００５】
【特許文献１】
特開平９−７３８３３号公報（図１）
【０００６】
【発明が解決しようとする課題】
しかしながら、前記図４に示す従来例においては、操作軸１０８の先端側を突出部１０６内に挿入するだけで操作軸１０８をゴムパッキン１０７に装着できるため、部品点数が少なく構造が単純であるものの、操作軸１０８を突出部１０６内に挿入する際、突出部１０６内の奥（突出部１０６の先端側）に圧縮された空気が閉じ込められてしまうため、操作軸１０８を奥までスムーズに嵌め込みできない。
【０００７】
本発明はこの様な点に鑑みなされたもので、シール部材（ゴムパッキン）の筒部（突出部）内に操作軸の先端側を挿入する際の作業性が良好なスイッチ操作装置を提供することを目的とする。
【０００８】
【課題を解決するための手段】
本発明は前記課題を解決するため、取付部材に固定され可動部を有するスイッチと、前記可動部を押圧する操作軸と、前記スイッチの前方側に配置され開口穴を有する前面板と、前記操作軸の先端側が挿入される筒部を有するとともに前記開口穴を塞ぐシール部材とを備え、前記操作軸を前記筒部に挿入する際に、前記筒部内の空気を筒部外に抜けさせる通気路を設けたものである。
【０００９】
また、前記通気路が前記操作軸の軸心方向に沿って前記操作軸に設けた溝からなるものである。
【００１０】
また、前記通気路が前記操作軸の軸心方向に沿って前記操作軸に設けた貫通孔からなるものである。
【００１１】
【発明の実施の形態】
本発明を自動二輪車用の計器に用いられるスイッチ操作装置を実施形態として説明する。図１は本発明の第１実施形態を示すスイッチ操作装置の断面図であり、図２は同スイッチ操作装置に用いられる操作軸の斜視図である。本実施形態においては、取付部材を回路基板，前面板を透視板として説明する。
【００１２】
取付部材としての硬質な回路基板１上に半田付固定されたスイッチ２が合成樹脂製のケース３内に収納してある。このスイッチ２は復帰可能に保持された可動部４とハウジング５を備えている。そして可動部４を押圧することによって、図示しないがケース３内に収納された例えば速度計の表示切替（例えば、液晶表示されるトータル積算値とトリップ積算値の切り替え、あるいはトリップ積算値のゼロセット）を可能とするものである。スイッチ２の前方側には透視板６（前面板）が配置されケース３の開口側を被っている。この透視板６にはスイッチ２と対向する箇所に開口穴７が設けてある。そして、弾性材からなるシール部材８が開口穴７を塞ぐように透視板６に固着してある。
【００１３】
本実施形態におけるシール部材８は黒色の合成ゴムからなり、透視板６の前方側に突出する略円筒状の筒部９と、開口穴７周囲の透視板６箇所に固着される断面が略コの字状の装着部１０と、筒部９と装着部１０を繋ぐ傘部１１を備えている。また、筒部９の先端は塞いであり（頂部１２とする）、筒部９の内壁周囲には半円状の環状突起１３が設けてある。このシール部材８は装着部１０を開口穴７周囲の透視板６箇所に嵌め込むことによって透視板６に固着される。
【００１４】
シール部材８にはスイッチ２の可動部４を押圧するための操作軸１４が装着してある。操作軸１４は中程にフランジ１５を有する略円柱状を成しており、先端側が筒部９内に挿入されてシール部材８に装着されている。また、周囲には環状凹部１６が設けてあり、操作軸１４の先端側を筒部９内に挿入した際、筒部９の内壁周囲に設けた環状突起１３が環状凹部１６に嵌り込むようになっている。また、図２に示す様に、操作軸１４の先端からフランジ１５間には軸心方向に沿って溝１７が設けてある。
【００１５】
１８は透視板６の内側に配置され、計器の可視範囲外を覆う合成樹脂製の見返し部材であり、操作軸１４の下端側を囲むように円筒１９が一体に設けてある。２０はケース３と一体に設けられ回路基板１を支えるリブである。
【００１６】
操作軸１４の装着は次のようにして行う。透視板６に固着されたシール部材８の下方（装着部１０側）より操作軸１４の先端側を筒部９内に挿入する。すると、環状凹部１６に環状突起１３が嵌り込むとともに、シール部材８の装着部１０に操作軸１４のフランジ１５が当接される。このフランジ１５が装着部１０に当接することにより、操作軸１４の先端側が筒部９内の奥まで挿入されるようになっているため、操作軸１４が筒部９内に確実に入ったか否かのチェックの役割を果たす。なお、操作軸１４の周囲と筒部９の内壁周囲とはぴったり合った状態で挿入されるが、操作軸１４に溝１７を設けたことによって筒部９との間に通気路Ｓが形成されたため、操作軸１４先端と筒部９の頂部１２との間の空気は通気路Ｓを通って操作軸１４の挿入方向とは反対側（筒部９外）に抜ける。
【００１７】
スイッチ２の操作は、シール部材８の頂部１２を下方（スイッチ２側）に押すことによって行われる。頂部１２を押すと傘部１１が撓み、筒部９とともに操作軸１４が下方に移動して可動部４を押圧する。それにより、前述した様な表示切替が行われる。押すことを止めると弾性により筒部９及び操作軸１４が元の位置に戻る。なお、見返し部材１８に設けた円筒１９が操作軸１４の下端側を囲むようになっているため、操作軸１４が傾いた状態で下方に移動しても、操作軸１４の下端が可動部４から外れてしまう程大きくは傾かない。
【００１８】
この様に、操作軸１４に溝１７を設けたことによって筒部９との間に通気路Ｓが形成されたため、操作軸１４を筒部９内に挿入するにつれて筒部９内の空気が抜ける。従って、従来例のように圧縮空気による抵抗を受けなくて操作軸１４の挿入が容易となる。また、防水，防塵あるいは外観を重視するシール部材８に穴を開ける等の必要がなく、単純な構造で空気抜きが可能となる。また、環状凹部１６に環状突起１３が嵌り込むことによって、操作軸１４が筒部９から容易に抜けないようになっている。
【００１９】
図３は本発明の第２実施形態を示す。なお、前記第１実施形態と同一または相当箇所には同一符号を付し、その詳細説明は省略する。また、本実施形態においては前面板を上ケースとして説明する。
【００２０】
硬質な回路基板１上に半田付固定されたスイッチ２が合成樹脂製のケース３内に収納してある。２１はスイッチ２の前方側に配置され、ケース３の開口側を被う前面板としての上ケースである。この上ケース２１にはスイッチ２と対向する箇所に開口穴７が設けてある。そして、弾性材からなるシール部材８が開口穴７を塞ぐように上ケース２１に固着してある。
【００２１】
シール部材８は黒色の合成ゴムからなり、上ケース２１の内側に突出する略円筒状の筒部９と、開口穴７周囲の上ケース２１箇所に固着される断面が略コの字状の装着部１０と、頂部１２と装着部１０を繋ぐ傘部１１を備えている。また、筒部９の内壁周囲には半円状の環状突起１３が設けてある。このシール部材８は装着部１０を開口穴７周囲の上ケース２１箇所に嵌め込むことによって上ケース２１に固着される。
【００２２】
シール部材８の筒部９内にはスイッチ２の可動部４を押圧するための操作軸１４が挿入してある。操作軸１４は中程にフランジ１５を有する略円柱状を成しており、先端側が筒部９内に挿入されてシール部材８に装着されている。また、周囲には環状凹部１６が設けてあり、操作軸１４の先端側を筒部９内に挿入した際、筒部９の内壁周囲に設けた環状突起１３が環状凹部１６に嵌り込むようになっている。また、操作軸１４の軸心には貫通孔２２が設けてある。
【００２３】
操作軸１４の装着は次のようにして行う。上ケース２１に固着されたシール部材８の下方より操作軸１４の先端側を筒部９内に挿入する。すると、環状凹部１６に環状突起１３が嵌り込むとともに、筒部９の下端に操作軸１４のフランジ１５が当接される。このフランジ１５が筒部９に当接することにより、操作軸１４の先端側が筒部９内の奥まで挿入されるようになっているため、操作軸１４が筒部９内に確実に入ったか否かのチェックの役割を果たす。なお、操作軸１４の周囲と筒部９の内壁周囲とはぴったり合った状態で挿入されるが、操作軸１４に貫通孔２２を設けたことによって筒部９の内と外との間に通気路Ｓが形成されたため、操作軸１４先端と筒部９の頂部１２との間の空気は通気路Ｓを通って下方（筒部９外）に抜ける。
【００２４】
スイッチ２の操作は前記第１実施形態と同じため、その説明は省略する。
【００２５】
この様に、操作軸１４に貫通孔２２を設けたことによって通気路Ｓが形成されたため、操作軸１４を筒部９内に挿入するにつれて筒部９内の空気が抜ける。従って、従来例のように空気抵抗を受けなくて操作軸１４の挿入が容易となる。また、防水，防塵あるいは外観を重視するシール部材８に穴を開ける等の必要がなく、単純な構造で空気抜きが可能となる。また、環状凹部１６に環状突起１３が嵌り込むことによって、操作軸１４が筒部９から容易に抜けないようになっている。
【００２６】
なお、通気路Ｓは各実施形態に限定されるものではない。例えば、第１実施形態において操作軸１４を略円柱状のままとし、筒部９の内側に部分的な縦溝を設けても良く、要は操作軸１４の先端側を筒部９内に挿入する際に筒部９内の空気が抜けるようになっていれば良く、その方法は任意である。また、操作軸１４にフランジ１５を設けたが、フランジ１５は無くても良い。また、筒部９内に操作軸１４を挿入した後に、シール部材８を前面板に固着するような構造であっても良い。
【００２７】
【発明の効果】
以上詳述したように、本発明によれば、シール部材の筒部内に操作軸の先端側を挿入する際の作業性が良好なスイッチ操作装置を提供することができる。
【図面の簡単な説明】
【図１】本発明の第１実施形態を示すスイッチ操作装置の断面図。
【図２】同実施形態の操作軸を示す斜視図。
【図３】本発明の第２実施形態を示すスイッチ操作装置の断面図。
【図４】従来例を示すスイッチ操作装置の断面図。
【符号の説明】
１  回路基板（取付部材）
２  スイッチ
４  可動部
６  透視板（前面板）
７  開口穴
８  シール部材
９  筒部
１４  操作軸
１７  溝
Ｓ  通気路
２１  上ケース（前面板）
２２  貫通孔
【図１】
2004152510.tif 000003
【図２】
2004152510.tif 000004
【図３】
2004152510.tif 000005
【図４】
2004152510.tif 000006